(57)【要約】【課題】  情報記録媒体の最終化時にミドル領域を融通性のあるように運用可能にする情報記録媒体、記録／再生装置及び記録／再生方法を提供する。【解決手段】  情報記録媒体に／からデータを記録／再生する記録／再生方法において、前記媒体の最終化時に、前記媒体に記録／再生を行う記録／再生装置が前記媒体の少なくとも二つの層を往来する時に利用するために少なくとも一つ以上設けられるミドル領域を拡張するステップを含む。【選択図】      図２
2010153028.tif 000002
【特許請求の範囲】
【請求項１】
情報記録媒体に／からデータを記録／再生する記録／再生方法において、
前記媒体の最終化時に、前記媒体に記録／再生を行う記録／再生装置が前記媒体の少なくとも二つの層を往来する時に利用するために少なくとも一つ以上設けられるミドル領域を拡張するステップを含むことを特徴とする記録／再生方法。
【請求項２】
前記拡張されたミドル領域にリードアウト属性のデータを記録するステップをさらに含むことを特徴とする請求項１に記載の記録／再生方法。
【請求項３】
前記拡張ステップは、
前記情報記録媒体の最終化時に、前記ミドル領域を前記ミドル領域以後に特定の目的として使用するために配列された専用領域の少なくとも一部分まで拡張するステップを含むことを特徴とする請求項１に記載の記録／再生方法。
【請求項４】
前記専用領域には、前記媒体へのデータ記録／再生のための特性をテストするためにテストデータが記録／再生されることを特徴とする請求項３に記載の記録／再生方法。
【請求項５】
前記媒体のユーザデータ領域のうち、ユーザデータの記録された位置の次に前記ミドル領域を可変的に配置し、前記ユーザデータ領域の残りの領域は、未記録状態に残すステップをさらに含み、
前記拡張ステップは、
前記情報記録媒体の最終化時に、前記ミドル領域を前記未記録領域の少なくとも一部分まで拡張するステップを含むことを特徴とする請求項１に記載の記録／再生方法。
【請求項６】
前記媒体の外周領域に固定的に配置された第２ミドル領域以外に、前記媒体のユーザデータ領域のうち、ユーザデータの記録された位置次に第１ミドル領域を可変的に配置し、前記ユーザデータ領域の残りの領域は、未記録状態に残すステップをさらに含み、
前記拡張ステップは、
前記情報記録媒体の最終化時に、前記第１ミドル領域を前記未記録領域の少なくとも一部分まで拡張するステップを含むことを特徴とする請求項１に記載の記録／再生方法。
【請求項７】
前記媒体のユーザデータ領域のうち、ユーザデータの記録された位置次に前記ミドル領域を可変的に配置し、前記ミドル領域以後には、特定の目的として使用するための専用領域を配置するステップをさらに含み、
前記拡張ステップは、
前記情報記録媒体の最終化時に、前記ミドル領域を前記専用領域の少なくとも一部分まで拡張するステップを含むことを特徴とする請求項１に記載の記録／再生方法。
【請求項８】
情報記録媒体において、
複数の記録層を備え、各記録層は、ユーザデータを記録するためのユーザデータ領域を備え、前記媒体に記録／再生を行う記録／再生装置が前記媒体の記録層を移動するために利用する少なくとも一つ以上のミドル領域と、前記ユーザデータ領域に及び／または前記ユーザデータ領域からユーザデータを最適に記録／再生するために、前記記録及び／または再生装置のための最適の記録条件に基づいて基準データを記録するための少なくとも一つの専用領域が設けられ、
前記ミドル領域は、前記情報記録媒体の最終化時に前記基準データを記録するために拡張されることを特徴とする情報記録媒体。
【請求項９】
各記録層の前記ミドル領域は、前記情報記録媒体の外周にフレキシブルに位置され、前記専用領域は、前記情報記録媒体の外周に固定的に位置されることを特徴とする請求項８に記載の情報記録媒体。
【請求項１０】
前記各記録層のミドル領域と専用領域とは、前記情報記録媒体の外周にフレキシブルにまたは固定的に位置されることを特徴とする請求項８に記載の情報記録媒体。
【請求項１１】
ユーザデータが記録されるユーザデータ領域次に前記情報記録媒体の外周に少なくとも一つのミドル領域が可変的に配列され、データが記録されていない未記録領域は、未記録状態に残り、前記情報記録媒体が最終化される時に前記少なくとも一つのミドル領域は、前記未記録領域の一部に拡張されることを特徴とする請求項８に記載の情報記録媒体。
【請求項１２】
前記少なくとも一つのミドル領域は、ユーザデータが記録されるユーザデータ領域の後に可変的に配列された第１部分と、前記情報記録媒体の外周の所定位置にフレキシブルに配列される第２部分とを備え、前記情報記録媒体が最終化される時に、前記第１部分は、前記ユーザデータが記録されていない未記録領域の少なくとも一部に拡張されることを特徴とする請求項８に記載の情報記録媒体。
【請求項１３】
前記少なくとも一つのミドル領域は、ユーザデータが記録されるユーザデータ領域の次に配列され、特定の目的のための専用領域が前記少なくとも一つのミドル領域の次に配列され、前記情報記録媒体が最終化される時に、前記ミドル領域は、前記専用領域の少なくとも一部に拡張されることを特徴とする請求項８に記載の情報記録媒体。
【発明の詳細な説明】
【技術分野】
【０００１】
本発明は、情報記録媒体の最終化時に、ミドル領域を融通性のあるように運用可能にする情報記録媒体、記録／再生装置及び記録／再生方法に関する。
【背景技術】
【０００２】
一般的に、光ディスクは、非接触式に情報を記録／再生する光ピックアップ装置の情報記録媒体として広く採用され、情報記録容量によってコンパクトディスク（ＣＤ）、デジタル多機能ディスク（ＤＶＤ）に区分される。そして、情報の記録、消去及び再生が可能な光ディスクとして、６５０ＭＢ  ＣＤ−Ｒ、ＣＤ−ＲＷ、４.７ＧＢ  ＤＶＤ＋Ｒ／ＲＷ、ＤＶＤ−ＲＡＭ（ランダム  アクセス  メモリ）、ＤＶＤ−Ｒ／ＲＷ（Ｒｅｗｒｉｔａｂｌｅ）などがあり、再生専用ディスクとして６５０ＭＢ  ＣＤ、４.７ＧＢ  ＤＶＤ−ＲＯＭなどがある。さらに、記録容量が１５ＧＢ以上の次世代ＤＶＤも開発中である。
【０００３】
図１Ａは、従来の技術による書き換え型光ディスクの一般的な構造を示し、図１Ｂは、従来の技術による再生専用光ディスクの一般的な構造を示している。図１Ａに示したように、書き換え型光ディスク１００Ａは、一般的に光ディスク１００Ａの内周付近に位置したリードイン領域１１０、一般的に光ディスク１００Ａの外周付近に位置したリードアウト領域１２０、ユーザデータが記録され、リードイン領域とリードアウト領域との間に位置したユーザデータ領域１３０を備える。同様に、図１Ｂに示されたデータ再生のための光ディスク１００Ｂも、一般的に光ディスク１００Ｂの内周付近に位置したリードイン領域１１０、一般的に光ディスク１００Ｂの外周付近に位置したリードアウト領域１２０、ユーザデータが記録され、リードイン領域とリードアウト領域との間に位置したユーザデータ領域１３０を備える。
【０００４】
図１Ａ及び図１Ｂに示された書き換え型光ディスクのリードアウト領域の構造は、リードイン領域の構造とほぼ同じである。
【０００５】
図１Ａに示した書き換え型光ディスクの場合に、リードイン領域に最適パワー制御（ＯＰＣ：Ｏｐｔｉｍｕｍ  Ｐｏｗｅｒ  Ｃｏｎｔｒｏｌ）のためのテストゾーンが割当てられる。しかし、再生専用ディスクの場合には、このようなテストゾーンが必要でない。ＯＰＣとは、データ記録及び／または再生装置が書き換え型光ディスク、例えば、ＣＤ−Ｒ、ＣＤ−Ｒ／ＲＷ／ＤＶＤ−Ｒ／ＲＷ、ＨＤ−ＤＶＤにユーザデータを記録する前にあらかじめ多様な記録パワーでデータをテストゾーンに記録してみることによって、ユーザデータ記録のための最適記録パワーを決定することを称す。
【０００６】
しかし、従来の書き換え型光ディスクには、固定された位置に固定されたサイズのＯＰＣのためのテストゾーンが割当てられるだけなので、必要に応じてテストゾーンをさらに割当てるか、またはテストゾーンのサイズを増大させられないという問題があった。
【０００７】
さらに、複数の記録層を備えた光ディスクの場合に、どの記録層に先に記録するかによって記録特性が変わるので、ＯＰＣのためのテスト領域を光ディスクに割当てる時に記録特性を考慮して配置せねばならない。特に、光ディスクの外周領域にテスト領域を割り当てる場合には、外周領域の特性を考慮せねばならない。なお、複数の記録層を備えた光ディスクの場合には、外周領域における記録特性が単一記録層を備えた光ディスクの場合よりさらに悪いので、これを考慮せねばならない。さらに、光ディスクの外周領域にテスト領域だけでなく、その他の目的の領域を割り当てる場合にも同様に、外周領域の特性を考慮して割り当てねばならない。
【０００８】
また、二重記録層光ディスクの場合に、ピックアップで近い記録層Ｌ１に記録されているか否かによって、記録層Ｌ２の記録特性が変わる。二重記録層光ディスクで、Ｌ１、Ｌ２の順序で記録を行う場合に、Ｌ２にデータを記録する時に、Ｌ１には、常にデータが記録されている。ＯＰＣのためにＬ２に設けられたテストゾーンにテスト用データを記録する場合にも、Ｌ１にあらかじめ記録されていなければならないので、事前記録領域がＬ１にあらかじめ割当てられていなければならない。しかし、このような事前記録領域を割り当てるというのは、データ記録及び／または再生装置の立場では、製作コストが上昇するという短所が発生する。したがって、事前記録領域を割り当て、ＯＰＣのためのテストゾーンを割り当てるか否かは選択的に決定することが要求される。したがって、光ディスクには、所定の位置のＯＰＣ領域とドライブが選択的に使用できるＯＰＣのためのテストゾーンとが必要である。
【０００９】
また、二重記録層ディスクの外周領域にデータ記録を行う場合に、時間的にさらに効率的な記録のために連結領域の位置が単一記録層ディスクで定義した位置と異なりうる。このような場合、特に、外周領域にＯＰＣのためのテスト領域またはその他の目的のための専用領域を割り当てるための多様なレイアウトが必要になる。
【００１０】
このようなミドル領域は、ドライブシステムのピックアップが二つ以上の層を往来する時に利用される領域であって、ジャンプ動作のために、このようなミドル領域は所定の長さ以上にならねばならない。しかし、前記のようなディスク構造で記録を行うに当たって、安定的なミドル領域の判断及びデータ判読などの理由でディスクの最終化時にミドル領域が不足して、ミドル領域のための空間がさらに必要となる場合が発生しうる。
【００１１】
したがって、記録層の間を移動するために、記録及び／または再生装置によって利用される少なくとも一つのミドル領域を備える複数の記録層を有する情報記録媒体では、情報記録媒体が最終化される時にミドル領域がフレキシブルに拡張される必要がある。また、２層以上の記録層を有する情報記録媒体のミドル領域を拡張させ、拡張されたミドル領域に所定パターンのデータを記録できる記録及び／または再生装置が要求される。
【発明の概要】
【発明が解決しようとする課題】
【００１２】
本発明は、前記のような必要性から案出されたものであって、情報記録媒体の最終化時にミドル領域を融通性のあるように運用可能にする情報記録媒体、記録／再生装置及び記録／再生方法を提供することを目的とする。
【課題を解決するための手段】
【００１３】
前記目的を達成するための本発明の一つの特徴は、情報記録媒体において、前記媒体には、前記媒体に記録／再生を行う記録／再生装置が前記媒体の少なくとも二つの層を往来するために利用する少なくとも一つ以上のミドル領域が設けられ、前記ミドル領域は、前記情報記録媒体の最終化時に拡張される。
【００１４】
前記ミドル領域以後には、特定の目的として使用するための専用領域が配列され、前記情報記録媒体の最終化時に前記ミドル領域は、前記専用領域の少なくとも一部分まで拡張されることが望ましい。
【００１５】
前記専用領域は、前記媒体へのデータ記録／再生のための特性をテストするためのテスト領域を備えうる。
【００１６】
前記ミドル領域には、リードアウト属性のデータが記録されることが望ましい。
【００１７】
前記ミドル領域は、前記媒体にユーザが、データの記録されるユーザデータ領域の次に可変的に配置され、ユーザデータが記録されていない領域は、未記録領域として残っており、前記情報記録媒体の最終化時に、前記ミドル領域は、前記未記録領域の少なくとも一部分まで拡張されることが望ましい。
【００１８】
前記ミドル領域は、前記媒体にユーザが、データの記録されるユーザデータ領域の次に可変的に配置される第１ミドル領域と、前記媒体の外部に固定的に配置される第２ミドル領域とを備え、前記情報記録媒体の最終化時に、前記第１ミドル領域は、前記ユーザデータが記録されていない未記録領域の少なくとも一部分まで拡張されることが望ましい。
【００１９】
前記ミドル領域は、前記媒体にユーザが、データの記録されるユーザデータ領域の次に可変的に配置され、前記ミドル領域以後には、特定の目的として使用するための専用領域が配列され、前記情報記録媒体の最終化時に、前記ミドル領域は、前記専用領域の少なくとも一部分まで拡張されることが望ましい。
【００２０】
本発明の他の特徴は、情報記録媒体に／からデータを記録／再生する記録／再生装置において、前記媒体に／からデータを書込み／読み取りをする書込み／読み取り部と、前記媒体に／からデータを書込み／読み取りをするように前記書込み／読み取り部を制御し、前記媒体の最終化時に、前記書込み／読み取り部が前記媒体の少なくとも二つの層を往来する時に利用するために、前記媒体に少なくとも一つ以上設けられるミドル領域を拡張する制御部とを備えることである。
【００２１】
本発明のさらに他の特徴は、情報記録媒体に／からデータを記録／再生する記録／再生方法において、前記媒体の最終化時に、前記媒体に記録／再生を行う記録／再生装置が前記媒体の少なくとも二つの層を往来する時に利用するために少なくとも一つ以上設けられるミドル領域を拡張するステップを含むことである。
【発明の効果】
【００２２】
多層情報記録媒体の記録方法において、特に、外周に最適記録条件（記録パワーなど）を探すためのＯＰＣ領域が割当てられたディスクで、ディスク最終化時に不十分なミドル領域を融通性のあるように確保し、さらに互換性のある記録モードを提供しうる。
【図面の簡単な説明】
【００２３】
【図１Ａ】従来の技術による書き換え型光ディスクの一般的な構造を示す図である。
【図１Ｂ】従来の技術による再生専用光ディスクの一般的な構造を示す図である。
【図２】（Ａ）は、本発明によるディスク構造の一例を示し、（Ｂ）は、図２（Ａ）に示されたディスクの最終化時に、第１記録層のミドル領域を拡張する構造の一例を示し、（Ｃ）は、図２（Ｂ）に示されたディスク状態で第２記録層のミドル領域を拡張する構造の一例を示すである。
【図３】（Ａ）は、本発明によるディスク構造の他の例を示し、（Ｂ）は、図３（Ａ）に示されたディスクの最終化時に、第１記録層のミドル領域を拡張する構造の一例を示し、（Ｃ）は、図３（Ｂ）に示されたディスク状態で第２記録層のミドル領域を拡張する構造の一例を示す図である。
【図４】（Ａ）は、本発明によるディスク構造のさらに他の例を示し、（Ｂ）は、図４（Ａ）に示されたディスクの最終化時に、第１記録層のミドル領域を拡張する構造の一例を示し、（Ｃ）は、図４（Ｂ）に示されたディスク状態で第２記録層のミドル領域を拡張する構造の一例を示す図である。
【図５】（Ａ）は、本発明によるディスク構造のさらに他の例を示し、（Ｂ）は、図５（Ａ）に示されたディスクの最終化時に、第１記録層のミドル領域を拡張する構造の一例を示し、（Ｃ）は、図５（Ｂ）に示されたディスク状態で第２記録層のミドル領域を拡張する構造の一例を示す図である。
【図６】本発明による記録／再生装置の概略的なブロック図である。
【発明を実施するための形態】
【００２４】
以下、添付された図面を参照して本発明による実施例を詳細に説明する。
【００２５】
図２（Ａ）は、本発明によるディスク構造の一例であって、二つの記録層Ｌ１及びＬ２を備えた二重層光ディスクである。図２（Ａ）に示されたディスク構造でミドル領域は、外周部の既定の位置に固定的に配置されており、外周専用領域も既定の位置に固定的に配置されている場合を表す。二重層光ディスクで、データは、逆トラック経路（ＯＴＰ：Ｏｐｐｏｓｉｔｅ  Ｔｒａｃｋ  Ｐａｔｈ）方法で記録されうる。例えば、第１記録層Ｌ１で、データは、内周から外周に記録され、第２記録層Ｌ２で、データは、外周から内周に記録されうる。
【００２６】
図２（Ａ）を参照するに、第１記録層Ｌ１は、第１データ領域１と第１外側の領域とを備える。前記第１外側の領域は、内周から外周方向に第１ミドル領域２、第１未使用用領域３、第１バッファ領域４、第１専用領域５を備える。記録層Ｌ２は、第２データ領域６と第２外側の領域とを含む。前記第２外側の領域は、内周から外周方向に第２ミドル領域７、第２専用領域８、第２バッファ領域９、第２未使用領域１０を備える。
【００２７】
第１データ領域１及び第２データ領域６は、ユーザデータを記録するための領域である。第１ミドル領域２及び第２ミドル領域７には、データ領域が終了されたということを表す所定パターンのデータが記録される。データ記録及び／再生装置は、前記所定パターンのデータを読み取って判読することによって、データ領域ではないミドル領域であるということを認識する。一方、前記所定パターンのデータは、リードアウト属性を有するデータを一般的に記録する。
【００２８】
第１専用領域５、第２専用領域８は、データ記録及び／または再生装置が特殊な目的のために使用する領域であって、例えば、ＯＰＣのためのテスト領域である。しかし、第１専用領域及び第２専用領域は、テスト領域以外に他の用途の領域、すなわち、ドライブでユーザデータを記録する前に行う記録と関連した情報のための領域として利用されることもある。例えば、どんなデータ記録及び／または再生装置によって、いつ記録が行われたかを分かる情報などを記録するための領域でもある。
【００２９】
第１未使用領域３と第２未使用領域１０とは、全く使われていない領域である。再記録可能な複数の記録層を備えた光ディスクの場合、どの記録層に先に記録するかによって記録特性が変わる、特に、光ディスクの外周領域の記録特性は、内周領域の記録特性よりさらに悪い。したがって、第１専用領域の位置と同じ位置にある、対応する記録層Ｌ２の領域を第２未使用領域に指定して、何らのデータを記録しないようにする。同様に、第２専用領域の位置と同じ位置の記録層Ｌ１の領域を第１未使用領域に指定し、何らのデータも記録しないようにする。もし、このような専用領域がテスト領域として使われる場合、そして記録層Ｌ２に記録する時にレーザビームが記録層Ｌ１を通過してＬ２に入射し、テスト記録時に第１未使用領域３を通過して第２専用領域８にテスト記録をした後、このテスト結果に記録層Ｌ２による特性パラメータをさらに付加して記録層Ｌ２の記録条件を探せる。
【００３０】
第１バッファ領域４、第２バッファ領域９は、光ディスクの偏心と照射される光のサイズとを考慮して設けられた領域である。すなわち、データ記録及び／または再生装置の対物レンズを通じて記録層Ｌ２の特定位置に光がフォーカシングされれば、半径ｙに該当する記録層Ｌ１の領域が光の影響を受ける。第１バッファ領域ないし第３バッファ領域は、他の記録層にデータ記録のために照射される光の影響、光のサイズ及び光ディスクの偏心などの要素を考慮して、既定のサイズで割当てられる。
【００３１】
図２（Ａ）に示されたディスク構造で、専用領域をテスト領域として使用し、データを記録する方法を説明すれば、まず、ユーザデータ領域に対するデータ記録に先立って、専用領域にＯＰＣなどのテストを行い、Ｌ１の内周から外周にデータを記録し、Ｌ１のデータ領域に何れもデータ記録をすれば、Ｌ２の外周から内周に記録をする。Ｌ２まで何れも記録が終了すれば、ディスクの最終化を行うが、ミドル領域には、リードアウト属性のデータ（例えば、００ｈ）を記録する。
【００３２】
このとき、もし、既定のミドル領域の空間が不十分な場合に、図２（Ｂ）に示したようにミドル領域を拡張する。
【００３３】
図２（Ｂ）は、図２（Ａ）に示したディスクの最終化時に第１記録層Ｌ１の第１ミドル領域２を拡張する構造の一例を表す。最終化とは、第１及び第２記録層、Ｌ１、Ｌ２のデータ記録が完了して第１及び第２ミドル領域２,７にリードアウト特性のデータが記録されることを称す。
【００３４】
図２（Ｂ）を参照するに、第１ミドル領域２は、第１未使用領域３とバッファ領域４及び既に使われた第１専用領域５まで拡張されうる。すなわち、このように拡張された領域までリードアウト属性のデータ記録が行われる。図２Ｂで拡張されたミドル領域は、斜線で表示されている。但し、図２（Ｂ）では、第１未使用領域３、バッファ領域４、第１専用領域５の全部まで第１ミドル領域が拡張されると示されたが、必ずしもこれに限定されず、第１ミドル領域は、適切な範囲で前記領域の一部まで拡張されうる。
【００３５】
図２（Ｃ）は、図２（Ｂ）に示されたディスク状態で第２記録層Ｌ２の第２ミドル領域７を拡張する構造の一例を表す。図２（Ｃ）を参照するに、第２ミドル領域７が第２専用領域８、第２バッファ領域９、第２未使用領域１０まで拡張されることを表す。
【００３６】
図３（Ａ）は、本発明によるディスク構造の他の例であって、二つの記録層Ｌ１及びＬ２を備えた二重層光ディスクを示す。図３（Ａ）に示されたディスク構造は、Ｌ１及びＬ２を有するディスク構造でミドル領域がフレキシブルであり、専用領域は、既定の位置にある場合を表す。
【００３７】
図３（Ａ）に示されたディスク構造では、二重記録層光ディスクへのデータ記録時に、記録するユーザデータの容量が光ディスクに記録可能な全体記録容量より少ない場合に、記録及び／または再生装置は、各記録層のデータ領域のサイズを決定し、ミドル領域を可変的に配置する。
【００３８】
各記録層のデータ領域の開始位置は、既定のものであるので、各記録層のデータ領域のサイズが決定されれば、各データ領域の端部の位置が決定されうる。新たに決定された各データ領域のサイズは、オリジナルより小さいので、各記録層のデータ領域の次の外側の領域のサイズは、オリジナルより増大する。
【００３９】
図３（Ａ）を参照するに、第１記録層Ｌ１は、データ領域と第１外側の領域とを備える。データ領域は、実際にユーザデータが記録された第１ユーザデータ領域１１と、内周から外周方向に連結された第１ミドル領域１２と、ユーザデータが記録されていない第１未記録領域１３とを備え、前記第１外側の領域は、第１未使用領域１４、第１バッファ領域１５、第１専用領域１６を備える。第２記録層Ｌ２は、データ領域と第２外側の領域とを備える。データ領域は、実際にユーザデータが記録された第２ユーザデータ領域１７、内周から外周方向に連結された第２ミドル領域１８、ユーザデータが記録されていない第２未記録領域１９を備える。前記第２外側の領域は、第２専用領域２０、第２バッファ領域２１、第２未使用領域２２を備える。
【００４０】
図３（Ｂ）は、図３（Ａ）に示されたディスクの最終化時に、第１記録層の第１ミドル領域１２を拡張する構造の一例を示す。図３（Ｂ）を参照するに、第１記録層Ｌ１の第１ミドル領域１２は、第１未記録領域１３の一部１２−１まで拡張されることが表示されている。
【００４１】
図３（Ｃ）は、図３（Ｂ）に示されたディスク状態で第２記録層のミドル領域を拡張する構造の一例を示す。図３（Ｃ）を参照するに、第２記録層Ｌ２の第２ミドル領域１８は、第２未記録領域１９の一部１８−１まで拡張されることが表示されている。
【００４２】
図３（Ａ）を参照するに、データ領域の“Ａ”部分までデータの記録が完了して、Ａ部分の直後の位置に第１ミドル領域１２が設けられる。図３（Ｂ）を参照するに、設けられた第１ミドル領域１２に所定のデータが記録されるが、このとき、第１ミドル領域１２が不足した場合には、データ領域の第１未記録領域１３にまで浸透して所定のデータを記録する。図３（Ｃ）を参照するに、Ｌ１の第１ミドル領域の記録が完了した後に、Ｌ２の第２ミドル領域１８の記録を行うが、この時のＬ２の第２ミドル領域１８が不足した場合にも、データ領域の第２未記録領域１９にまで浸透して所定のデータが記録される。
【００４３】
図４（Ａ）は、本発明によるディスク構造のさらに他の例であって、ミドル領域が外周部の既定の位置にあるか、またはフレキシブルであり、外周専用領域は、既定の位置にある場合を示す。図４（Ａ）を参照するに、第１記録層Ｌ１は、データ領域と第１外側の領域とを備える。データ領域は、実際にユーザデータが記録された第１ユーザデータ領域３１と、内周から外周方向に連結された第１ミドル領域３２と、ユーザデータが記録されていない第１未記録領域３３とを備え、前記第１外側の領域は、固定された第２ミドル領域３４、第１未使用領域３５、第１バッファ領域３６、第１専用領域３７を備える。第２記録層Ｌ２は、データ領域と第２外側の領域とを備える。データ領域は、実際にユーザデータが記録された第２ユーザデータ領域３８、内周から外周方向に連結された第３ミドル領域３９、ユーザデータが記録されていない第２未記録領域４０を備える。前記第２外側の領域は、第４ミドル領域４１、第２専用領域４２、第２バッファ領域４３、第２未使用領域４４を備える。
【００４４】
図４（Ｂ）は、図４（Ａ）に示されたディスクの最終化時に、第１記録層のミドル領域を拡張する構造の一例を示す。図４（Ｂ）を参照するに、第１記録層Ｌ１の第１ミドル領域３２は、第１未記録領域３３の一部３２−１まで拡張されることが表示されている。
【００４５】
図４（Ｃ）は、図４（Ｂ）に示されたディスク状態で第２記録層のミドル領域を拡張する構造の一例を示す。図４（Ｃ）を参照するに、第２記録層Ｌ２の第３ミドル領域３９は、第２未記録領域４０の一部３９−１まで拡張されることが表示されている。
【００４６】
図４（Ａ）を参照するに、データ領域から“Ｂ”部分までデータの記録が完了すれば、“Ｂ”の次の位置から第１ミドル領域３２が設けられる。図４（Ｂ）を参照するに、このように設けられた第１ミドル領域３２に所定のデータが記録されるが、このとき、第１ミドル領域３２が不足した場合には、データ領域の第１未記録領域３３にまで浸透して所定のデータを記録する。図４（Ｃ）を参照するに、Ｌ１の第１ミドル領域３２,３２−１の記録が完了した後に、Ｌ２の第２ミドル領域３９の記録を行うが、このとき、Ｌ２の第２ミドル領域３９が不足した場合にも、データ領域の第２未記録領域４０にまで浸透して所定のデータが記録される。
【００４７】
図３（Ａ）と図４（Ａ）との差異点は、図３（Ａ）では、元来からミドル領域がフレキシブルであり、固定されたミドル領域が決まっていないが、図４（Ａ）の場合には、当初に固定されたミドル領域は設けられているが、データ領域のデータ記録がデータ領域の中間で終わった場合に、フレキシブルにデータ記録が終わった部分にミドル領域がさらに設けられるという点である。
【００４８】
図５（Ａ）は、本発明によるディスク構造のさらに他の例であって、Ｌ１及びＬ２を有するディスク構造でミドル領域が外周部の既定の位置にあるか、またはフレキシブルであり、外周のＯＰＣ領域もミドル領域と共に既定の位置にあるか、またはフレキシブルな場合を表す。
【００４９】
図５（Ａ）を参照するに、第１記録層Ｌ１は、データ領域と第１外側の領域とを備える。データ領域は、実際にユーザデータが記録された第１ユーザデータ領域５１と、内周から外周方向に連結された第１ミドル領域５２、第１未使用領域５３、第１バッファ領域５４、第１専用領域５５、ユーザデータが記録されていない第１未記録領域５６を備え、前記第１外側の領域は、固定された第２ミドル領域５７、第２未使用領域５８、第２バッファ領域５９、第２専用領域６０を備える。第２記録層Ｌ２は、データ領域と第２外側の領域とを備える。データ領域は、実際にユーザデータが記録された第２ユーザデータ領域６１、内周から外周方向に連結された第３ミドル領域６２、第３専用領域６３、第３バッファ領域６４、第３未使用領域６５、ユーザデータが記録されていない第２未記録領域６６を備える。前記第２外側の領域は、第４ミドル領域６７、第４専用領域６８、第４バッファ領域６９、第４未使用領域７０を備える。
【００５０】
図５（Ｂ）は、図５（Ａ）に示されたディスクの最終化時に、第１記録層のミドル領域を拡張する構造の一例を示す。図５（Ｂ）を参照するに、第１ミドル領域５２は、第１未使用領域５３と第１バッファ領域５４及び既に使われた第１専用領域５５まで拡張されうる。すなわち、このように拡張された領域までリードアウト属性のデータ記録が行われる。但し、図５（Ｂ）では、第１未使用領域５３、第１バッファ領域５４、第１専用領域５５の全部までミドル領域が拡張されると示されたが、必ずしもこれに限定されず、ミドル領域は、適切な程度に前記領域の一部まで拡張されうる。
【００５１】
図５（Ｃ）は、図５（Ｂ）に示されたディスク状態で第２記録層のミドル領域を拡張する構造の一例を示す。図５（Ｃ）を参照するに、第３ミドル領域６２は、第３未使用領域６３と第３バッファ領域６４及び既に使われた第３専用領域６５まで拡張されうる。
【００５２】
図５（Ａ）を参照するに、ミドル領域及びテスト領域が何れもフレキシブルであるということが分かる。もちろん、当初にディスク上には、ディスクの外周部分にミドル領域とテスト領域とが固定的に設けられているが、データ記録量によって、かかるミドル領域とテスト領域とがフレキシブルに設けられうる。すなわち、ドライブシステム上で、ディスクにデータを記録する前にデータを記録する量をあらかじめ分かる場合には、図５（Ａ）に示したように、データ領域の中間にデータ記録される部分“Ｃ”の次の部分にミドル領域またはテスト領域が設けられる。
【００５３】
データ領域のデータ記録に先立って設けられたテスト領域を利用してテストを行い、図５（Ａ）に示したように“Ｃ”部分までデータが記録されれば、“Ｃ”部分の次の部分にミドル領域が設けられる。
【００５４】
図５（Ｂ）を参照するに、設けられたミドル領域にディスクの最終化のための所定のデータが記録されるが、この場合にも同様に、このようなミドル領域が不足した場合には、専用領域まで浸透して所定のデータを記録する。図５（Ｃ）を参照するに、Ｌ１でのミドル領域の記録が何れも終わった後に、Ｌ２でのミドル領域の記録を表す。
【００５５】
図６は、本発明によってディスクを運用する記録／再生装置の概略的なブロック図である。図６を参照するに、記録／再生装置は、書込み／読み取り部８０と、制御部９０とを備える。データ記録／再生装置は、ホスト内にハウジングされるか、またはホストに連結された別途の装置にハウジングされたドライブシステムと呼ばれることもある。また、ディスク１００は、ＣＤ−Ｒ、ＣＤ−Ｒ／ＲＷ、ＤＶＤ−Ｒ／ＲＷ、ＨＤ−ＤＶＤのような光ディスクとなりうる。
【００５６】
書込み／読み取り部８０は、ピックアップなどを備えて、本発明が適用される光記録情報記録媒体のディスク１００にデータを書き込み、ディスク１００に書き込まれたデータを読み取る。
【００５７】
制御部９０は、所定のファイルシステムによってディスク１００に／からデータを書込み／読み取りをするように書き込み／読み取り部８０を制御する。特に、本発明による制御部９０は、外周に所定目的のデータを記録するために使われる専用領域が設けられた情報記録媒体の最終化時に、ミドル領域が不十分な場合に、前記ミドル領域を拡張するように制御する。
【００５８】
制御部９０は、システム制御器９１と、ホストＩ／Ｆ  ９２と、ＤＳＰ（Ｄｉｇｉｔａｌ  Ｓｉｇｎａｌ  Ｐｒｏｃｅｓｓｏｒ）９３と、ＲＦ  ＡＭＰ（Ｒａｄｉｏ  Ｆｒｅｑｕｅｎｃｙ  Ａｍｐｌｉｆｉｅｒ）９４と、サーボ９５とを備える。
【００５９】
記録時に、ホストＩ／Ｆ  ９２は、ホストから所定の記録命令を受信し、これをシステム制御器９１に伝送する。システム制御器９１は、このようなホストＩ／Ｆ  ９２から受信された記録命令を行うために、ＤＳＰ  ９３とサーボ９５とを制御する。ＤＳＰ  ９３は、ホストＩ／Ｆ  ９２から受けた記録するデータをエラー訂正のためにパリティなどの付加データを添加し、ＥＣＣ（Ｅｒｒｏｒ  Ｃｏｒｒｅｃｔｉｏｎ  Ｃｏｄｅ）エンコーディングを行って、エラー訂正ブロックであるＥＣＣブロックを生成した後に、それを既定の方式で変調する。ＲＦ  ＡＭＰ  ９４は、ＤＳＰ  ９３から出力されたデータをＲＦ信号に変える。ピックアップを備えた書込み／読み取り部８０は、ＲＦ  ＡＭＰ  ９４から伝送されたＲＦ信号をディスク１００に記録する。サーボ９５は、システム制御器９１からサーボ制御に必要な命令を入力されて書込み／読み取り部８０のピックアップをサーボ制御する。
【００６０】
特に、本発明によるシステム制御器９１は、ディスクに設けられたデータ領域にデータ記録が何れも完了した場合にディスクの最終化を行うが、このとき、データ領域でデータ記録部分が終了したことを表し、２層以上をピックアップが移動できるように設けられたミドル領域に所定のデータを記録する。このとき、あらかじめ設けられたサイズのミドル領域の空間が不足した場合に、システム制御器９１は、このようなミドル領域を拡張し、拡張されたミドル領域にもまた、所定のデータを記録するように書込み／読み取り部を制御する。
【００６１】
再生時に、ホストＩ／Ｆ ９２は、ホストから再生命令を受ける。システム制御器９１は、再生に必要な初期化を行う。書込み／読み取り部８０は、ディスク１００にレーザビームを照射し、ディスク１００から反射されたレーザビームを受光して得られた光信号を出力する。ＲＦ  ＡＭＰ  ９４は、書込み／読み取り部８０から出力された光信号をＲＦ信号に変え、ＲＦ信号から得られた変調されたデータをＤＳＰ
９３に提供する一方、ＲＦ信号から得られた制御のためのサーボ信号をサーボ９５に提供する。ＤＳＰ  ９３は、変調されたデータを復調し、ＥＣＣエラー訂正を経て得られたデータを出力する。一方、サーボ９５は、ＲＦ  ＡＭＰ  ９４から受けたサーボ信号とシステム制御器９１から受けたサーボ制御に必要な命令とを受けて、ピックアップに対するサーボ制御を行う。ホストＩ／Ｆ  ９２は、ＤＳＰ  ９３から受けたデータをホストに伝送する。
【００６２】
図６に示された記録／再生装置は、個別的な記録装置、再生装置で具現されうるか、または一つの記録及び再生装置で具現されうる。
【００６３】
図２（Ａ）ないし図２（Ｃ）、図３（Ａ）ないし図３（Ｃ）、図４（Ａ）ないし図４（Ｃ）、図５（Ａ）ないし図５（Ｃ）に示されたような方法でミドル領域が拡張されうる構造ならば、他の情報記録媒体、すなわち、ブルーレイディスク、ＡＯＤ（Ａｄｖａｎｃｅｄ  Ｏｐｔｉｃａｌ  Ｄｉｓｋ）、ボログラフィック記録媒体も利用されうる。また、ミドル領域と専用領域とが両方とも固定的に配置されるか、またはフレキシブルに配置されうる。また、データは、二重層媒体または多層媒体で第１記録層のデータ記録方向と第２記録層のデータ記録方向とが同じＰＴＰ（Ｐａｒａｌｌｅｌ  Ｔｒａｃｋ  Ｐａｔｈ）方法で記録されうる。また、システムコントローラは、低いファームウェアまたは図２（Ａ）ないし図２（Ｃ）、図３（Ａ）ないし図３（Ｃ）、図４（Ａ）ないし図４（Ｃ）、図５（Ａ）ないし図５（Ｃ）を参照して説明された方法を具現するようにプログラムされた汎用または専用コンピュータで具現されうる。
【００６４】
以上、本発明についてその望ましい実施例を中心に説明した。当業者は、本発明が本発明の本質的な特性から逸脱しない範囲で変形された形態で具現されうるということが理解できる。本発明の範囲は、前述した説明ではなく、特許請求の範囲に表れており、それと同等な範囲内にある全ての差異点は、本発明に含まれていると解釈されねばならない。
【符号の説明】
【００６５】
８０    書込み／読み取り部
９０    制御部
９１    システム制御器
９２    ホストＩ／Ｆ
９３    ＤＳＰ
９４    ＲＦ  ＡＭＰ
９５    サーボ
１００  ディスク
【図１Ａ】
2010153028.tif 000003
【図１Ｂ】
2010153028.tif 000004
【図２】
2010153028.tif 000005
【図３】
2010153028.tif 000006
【図４】
2010153028.tif 000007
【図５】
2010153028.tif 000008
【図６】
2010153028.tif 000009